(57)【特許請求の範囲】
【請求項１】
送信側の画像処理装置とデータ通信する受信側の画像処理装置であって、
送信側の画像処理装置から受信する画像データを異なるサイズのシートを用いて印刷可能な印刷手段と、
前記印刷手段によって印刷されるシートに後処理を行う後処理手段と、
前記後処理手段がシートに対して後処理を行うか否かを設定する設定手段と、
送信側の画像処理装置からの着呼があった場合に、前記設定手段により前記後処理手段がシートに後処理を行うことが設定されているかどうかを判断する判断手段と、
シートに後処理を行うことが設定されていると判断した場合、シートのサイズが同系列に属するサイズ情報を受信側の画像処理装置の能力情報として送信側の画像処理装置に通知する通知手段と、
を有することを特徴とする画像処理装置。
【請求項２】
前記送信側の画像処理装置から通知される電話番号と、当該送信側の画像処理装置に前記通知手段によって通知された能力情報に対して応答された情報とを関連付けた通信履歴情報を保持する保持手段と、
送信側の画像処理装置からの着呼時に通知される電話番号との通信にてエラー終了した履歴があるかどうかを前記保持手段に保持される通信履歴情報を照合して判定する判定手段とを備え、
前記判定手段がエラー終了した履歴がないと判定した場合、前記通知手段はシートのサイズが同系列に属するサイズ情報を受信側の画像処理装置の能力情報として送信側に通知し、前記判定手段がエラー終了した履歴があると判定した場合、前記通知手段は異なる系列のサイズ情報を受信側の画像処理装置の能力情報として送信側に通知することを特徴とする請求項１記載の画像処理装置。
【請求項３】
送信側の画像処理装置とデータ通信する受信側の画像処理装置であって、
送信側の画像処理装置からの着呼があった場合に、送信側の画像処理装置から受信する画像データに対して転送モードが設定されているかどうかを判別する判別手段と、
転送モードが設定されていると前記判別手段が判別した場合、転送先の画像処理装置から取得する印刷設定情報に後処理装置による後処理を行うことが設定されているかどうかを判断する判断手段と、
前記判断手段がシートに後処理を行うことが前記印刷設定情報に設定されていると判断した場合、シートのサイズが同系列に属するサイズ情報を転送側の画像処理装置の能力情報として送信側の画像処理装置に通知する通知手段と、
ことを特徴とする画像処理装置。
【請求項４】
送信側の画像処理装置から受信する画像データを異なるサイズのシートを用いて印刷可能な印刷手段と、前記印刷手段で印刷したシートに後処理を行う後処理手段と、前記後処理手段がシートに対して後処理を行うか否かを設定する設定手段とを備える受信側の画像処理装置の制御方法であって、
送信側の画像処理装置からの着呼があった場合に、前記設定手段により前記後処理手段がシートに後処理を行うことが設定されているかどうかを判断する判断工程と、
シートに後処理を行うことが設定されていると判断した場合、シートのサイズが同系列に属するサイズ情報を受信側の画像処理装置の能力情報として送信側の画像処理装置に通知する通知工程と、
ことを特徴とする画像処理装置の制御方法。
【請求項５】
請求項４項に記載の画像処理装置の制御方法をコンピュータに実行させることを特徴とするプログラム。
【請求項６】
送信側の画像処理装置とデータ通信する受信側の画像処理装置であって、
送信側の画像処理装置から受信する画像データをシートに印刷する印刷手段と、
前記印刷手段によって印刷されるシートに対して後処理を行うか否かを設定する設定手段と、
シートに後処理を行うことが設定されていない場合、第１のシートに対応する第１のサイズ及び第２のシートに対応する第２のサイズを示すサイズ情報を、受信側の画像処理装置の能力情報として送信側の画像処理装置に通知し、シートに後処理を行うことが設定されている場合、前記第１のシートに対応する前記第１のサイズを示し、前記第２のシートに対応する前記第２のサイズを示さないサイズ情報を、受信側の画像処理装置の能力情報として送信側の画像処理装置に通知する通知手段と、
を有することを特徴とする画像処理装置。
【請求項７】
送信側の画像処理装置からの着呼があった場合に、前記設定手段により前記後処理手段がシートに後処理を行うことが設定されているかどうかを判断する判断手段を有することを特徴とする請求項６に記載の画像処理装置。
【請求項８】
前記後処理手段がシートに後処理を行うことが設定されているかどうかを示す設定情報を格納する格納手段を有し、
前記通知手段は、シートに後処理を行うことが設定されていることを示す設定情報が格納されていない場合、前記第１のサイズ及び前記第２のサイズを示すサイズ情報を通知し、シートに後処理を行うことが設定されていることを示す設定情報が格納されている場合、前記第１のサイズを示し、前記第２のサイズを示さないサイズ情報を通知することを特徴とする請求項６に記載の画像処理装置。
【請求項９】
前記画像データは、ファクシミリ通信プロトコルを用いて前記送信側の画像処理装置から受信され、
前記サイズ情報は、ファクシミリ通信プロトコルのＤＩＳを用いて前記送信側の画像処理装置に通知されることを特徴とする請求項６乃至８のいずれか１項に記載の画像処理装置。
【請求項１０】
前記後処理はステイプルであることを特徴とする請求項６乃至９のいずれか１項に記載の画像処理装置。
【請求項１１】
送信側の画像処理装置とデータ通信する受信側の画像処理装置であって、
送信側の画像処理装置から受信された画像データの転送先の画像処理装置によってシートに後処理を行うこと設定されているかどうかを判断する判断手段と、
シートに後処理を行うことが設定されていない場合、第１のシートに対応する第１のサイズ及び第２のシートに対応する第２のサイズを示すサイズ情報を、受信側の画像処理装置の能力情報として送信側の画像処理装置に通知し、シートに後処理を行うことが設定されている場合、前記第１のシートに対応する前記第１のサイズを示し、前記第２のシートに対応する前記第２のサイズを示さないサイズ情報を、受信側の画像処理装置の能力情報として送信側の画像処理装置に通知する通知手段と、
を有することを特徴とする画像処理装置。
【請求項１２】
送信側の画像処理装置から受信する画像データをシートに印刷する印刷手段と、前記印刷手段によって印刷されるシートに後処理を行う後処理手段と、前記後処理手段がシートに対して後処理を行うか否かを設定する設定手段とを備える受信側の画像処理装置の制御方法であって、
シートに後処理を行うことが設定されていない場合、第１のシートに対応する第１のサイズ及び第２のシートに対応する第２のサイズを示すサイズ情報を、受信側の画像処理装置の能力情報として送信側の画像処理装置に通知する第１の通知工程と、
シートに後処理を行うことが設定されている場合、前記第１のシートに対応する前記第１のサイズを示し、前記第２のシートに対応する前記第２のサイズを示さないサイズ情報を、受信側の画像処理装置の能力情報として送信側の画像処理装置に通知する第２の通知工程と、
を有することを特徴とする画像処理装置の制御方法。
【請求項１３】
送信側の画像処理装置から受信する画像データを転送先の画像処理装置に転送する受信側の画像処理装置の制御方法であって、
送信側の画像処理装置から受信された画像データの転送先の画像処理装置によってシートに後処理を行うこと設定されているかどうかを判断する判断工程と、
シートに後処理を行うことが設定されていない場合、第１のシートに対応する第１のサイズ及び第２のシートに対応する第２のサイズを示すサイズ情報を、受信側の画像処理装置の能力情報として送信側の画像処理装置に通知する第１の通知工程と、
シートに後処理を行うことが設定されている場合、前記第１のシートに対応する前記第１のサイズを示し、前記第２のシートに対応する前記第２のサイズを示さないサイズ情報を、受信側の画像処理装置の能力情報として送信側の画像処理装置に通知する第２の通知工程と、
を有することを特徴とする画像処理装置の制御方法。
【発明の詳細な説明】
【技術分野】
【０００１】
本発明は、画像データを処理する画像処理装置、画像処理装置の制御方法及びプログラムに関するものである。
【背景技術】
【０００２】
従来、ファクシミリ装置やデジタル複合機等の画像処理装置におけるファクシミリ通信では、受信側の装置で受信文書をステイプルするか否か設定することが可能であり、受信した文書を印刷した後、上記設定に従ってステイプル処理を行う。
また、ファクシミリ受信する文書の画像サイズは、さまざまであるため、異系列の文書が送信されてくると、画像処理装置はステイプルを行うことができない。そのため、ステイプルされた文書を手に入れるためには、印刷する文書の系列を揃える必要がある。
【０００３】
従来の技術として、下記特許文献１に開示されている技術においては受信機側からファクシミリプロトコルＣＳＩコマンドにステイプルの情報を付加して送信するものが紹介されている。
【先行技術文献】
【特許文献】
【０００４】
【特許文献１】特開平６−３３４８８０号公報
【発明の概要】
【発明が解決しようとする課題】
【０００５】
しかしながら、特許文献１に開示されている技術では受信機側よりファクシミリプロトコルＣＳＩコマンドにステイプルの情報を付加した特別な情報を付加し送信するものである。この場合、ファクシミリ通信を行う送信側、受信側で上記特殊な情報を検出するための処理が必要となる。そのため、従来の方法は、そのような特殊な情報を扱うことができる装置同士の通信にしか適用できず、汎用性がなくなる。
【０００６】
また、受信側で文書の画像サイズを変換することが考えられるが、その場合、送信されてくる画像サイズが大きい状態で、画像が送信されてしまうことがあり、通信時間、通信料金が多くかかる。
このように従来の画像処理装置は、複雑な通信処理を実行しないと、送信側の画像処理装置からサイズが揃った画像データを受信することができず、シートに対する後処理機能を有効に活用できない場合があった。
本発明は、上記の課題を解決するためになされたもので、本発明の目的は、容易に、送信側の画像処理装置から同系列のシートに対応するサイズに揃った画像データを受信して印刷設定に適応した後処理を行える仕組みを提供することである。
【課題を解決するための手段】
【０００７】
上記目的を達成する本発明の画像処理装置は以下に示す構成を備える。
送信側の画像処理装置とデータ通信する受信側の画像処理装置であって、送信側の画像処理装置から受信する画像データを異なるサイズのシートを用いて印刷可能な印刷手段と、前記印刷手段によって印刷されるシートに後処理を行う後処理手段と、前記後処理手段がシートに対して後処理を行うか否かを設定する設定手段と、送信側の画像処理装置からの着呼があった場合に、前記設定手段により前記後処理手段がシートに後処理を行うことが設定されているかどうかを判断する判断手段と、シートに後処理を行うことが設定されていると判断した場合、シートのサイズが同系列に属するサイズ情報を受信側の画像処理装置の能力情報として送信側の画像処理装置に通知する通知手段とを有することを特徴とする。
【発明の効果】
【０００８】
本発明によれば、容易に、送信側の画像処理装置から同系列のシートに対応するサイズに揃った画像データを受信して印刷設定に適応した後処理を行うことができる。
【図面の簡単な説明】
【０００９】
【図１】画像処理装置を含むネットワークシステムを示す図である。
【図２】図１に示した画像処理装置の構成を示すブロック図である。
【図３】図１に示した操作部表示装置に表示されるＵＩを示す図である。
【図４】図２に示したＨＤに保持される通信履歴テーブルを示す図である。
【図５】図２に示したＨＤに保持される宛先情報テーブルを示す図である。
【図６】図１に示した画像処理装置の通信プロトコルを示す図である。
【図７】図１に示した画像処理装置の通信プロトコルを示す図である。
【図８】画像処理装置の制御方法を説明するフローチャートである。
【図９】画像処理装置の制御方法を説明するフローチャートである。
【図１０】画像処理装置の制御方法を説明するフローチャートである。
【発明を実施するための形態】
【００１０】
次に本発明を実施するための最良の形態について図面を参照して説明する。ただし、この実施形態に記載されている図面はあくまで例示であり、この発明の範囲をそれらにのみ限定する主旨のものではない。
〔第１実施形態〕
図１は、本発明の実施形態である画像処理装置を含むネットワークシステムを示す図である。以下、ファクシミリを送信側の画像処理装置１０７とし、画像処理装置１０５を受信側の画像処理装置として、公衆回線網の例としてのＰＳＴＮ回線１０６を介してデータ通信を行う際の受信側の画像処理装置の通信処理について詳述する。
図１において、１０１はホストコンピュータで、ネットワーク１００に接続されるプリンタやデジタル複合機等の画像処理装置にプリント要求を出す。１０２はファクシミリ装置で、インターネットファクシミリ通信（ＩＦＡＸ受信等）可能に構成されている。１０３、１０４はプリンタで、コンピュータ１０１等からのプリント要求（印刷ジョブ）を受け付ける。１０５は画像処理装置で、例えば、コピー機能や、データ送信機能、ファクシミリ機能等の複数の機能を備えたＭＦＰ（Ｍｕｌｔｉ  Ｆｕｎｃｔｉｏｎ  Ｐｅｒｉｐｈｅｒａｌ）で構成される。なお、画像処理装置１０５には公衆回線網であるＰＳＴＮ回線１０６を介してファクシミリ１０７が接続されている。ここで、画像処理装置１０５とファクシミリ１０７とは、図６に示すようなファクシミリ通信プロトコルでデータ通信を行う。また、画像処理装置１０５は、複数の給紙部（給紙カセット）を備え、それぞれの給紙部は、それぞれ異なるサイズのシートを収容可能に構成されている。なお、現在それぞれの給紙部には、Ａ４、Ａ３、Ｂ４等のサイズに対応したシートが収容されている。なお、本実施形態では、画像処理装置の例として、複数の機能を備えるＭＦＰで説明するが、画像処理装置は、１つの機能を備えるＳＦＰ（Ｓｉｎｇｌｅ  Ｆｕｎｃｔｉｏｎ  Ｐｅｒｉｐｈｅｒａｌ）であってもよい。
【００１１】
図２は、図１に示した画像処理装置１０５の構成を示すブロック図である。
図２において、スキャナ装置２０１は、指定されたモード（例えば、紙サイズ、解像度、濃度等）で原稿をスキャンする読み取り装置である。プリンタ装置２０２は、プリントする文書をフィニッシャー等の後処理装置を介して、排紙トレーに出力する。ここで、後処理装置は、画像出力されたシートにステイプル処理、折り処理、パンチ穴処理等を行えるように構成されている。また、プリンタ装置２０２は、サイズの異なるシート、例えばＡ４、Ａ３、Ｂ４等のシートを選択して給紙することが可能な給紙部を複数備えている。また、プリンタ装置２０２は、ユーザから操作部表示装置２０３を介して受け付けた印刷及び後処理を行うことができる。後処理装置は、必要に応じて行われればよい。例えば、プリンタ装置２０３は、ファクシミリ１０７から受信する画像データを印刷する際に、シートにステイプル等の後処理を行うか否かを示す印刷設定に従って、後処理を実行するか否かを決定する。そして、操作部表示装置２０３を用いて設定された情報は、印刷設定情報としてHD２１１に保持される。
なお、プリンタ装置２０２の印刷処理方式は、電子写真方式であっても、インクジェット方式であっても、本発明を適用可能である。
また、印刷に用いるシートは、カット紙以外にロール紙をカットして給紙するものであってもよい。
さらに、画像処理装置には、単体のプリンタにオプション装置としてファクシミリ制御部２１０を接続し、かつ、ファクシミリ通信機能を備えるプリンタも含まれる。
また、画像処理装置に保持される印刷設定は、操作部表示装置２０３から直接入力したものであってもよいし、コンピュータ１０１のブラウザ等を用いて印刷設定が入力されたものであってもよい。さらに、他の画像処理装置からネットワークを介して取得される印刷設定であってもよい。
さらには、ユーザが携帯可能な近距離無線通信機能を備えるカード材に記憶された印刷設定を取得するものであってもよい。
【００１２】
操作部表示装置２０３は、ユーザが各種設定操作を行うと共に、装置の動作状態などを表示するものである。操作部表示装置２０３は、タッチパネルとハードキー等を備え、各種のユーザインタフェースを表示して、ユーザからの要求を受け付けたり、各機能に基づいて発生し得るエラー等を表示したりする。
符号化復号化装置２０４は、送信する画情報をデータに符号化し、データ圧縮する一方、受信した圧縮データを復号化し、元の画情報に復元するものである。ネットワーク制御部２０５は、図１に示したネットワーク１００に接続し、他のネットワーク環境下の機器と情報の入出力を行うものである。
【００１３】
システムメモリ２０６は、ＲＡＭ部およびＲＯＭ部からなり、装置に予め登録しておく情報を格納するものである。ページメモリ２０７は、符号化・複合化を行う際に１ページ分の画情報を展開するものである。
システム制御部２０８は、本ブロック図内の各制御部や装置やＨＤ（ハードディスク）等を監視・制御するマイクロコンピュータで構成される。
暗号化装置２０９は、ＨＤ２１１に画像データを蓄積する際に、上記画像データを暗号化するものである。画像データを暗号化せずに蓄積する場合には符号化復号化装置２０４にて符号化したデータをそのままＨＤ２１１に保存する。ただし、暗号化にて蓄積する場合には符号化復号化装置２０４にて符号化したデータをさらに暗号化装置２０９にて暗号化した後、ＨＤ２１１に保存する。
ファクシミリ制御部２１０は、ＰＳＴＮ回線等の公衆回線網に接続されており、このＰＳＴＮ回線を介して他のファクシミリ装置やＭＦＰと通信するものである。ＨＤ（ハードディスク）２１１は、不揮発性のメモリからなり、受信した文書やスキャンした文書等を格納するものである。
【００１４】
図３は、図１に示した操作部表示装置２０３に表示されるユーザインタフェースの一例を示す図である。本例は、画像処理装置１０５のユーザモード内の印刷設定の１つであるステイプルに関する印刷設定のＵＩ画面表示例である。ここで、ステイプルは後処理の一例であるが、後処理機能は、ステイプルに限定されるものではない。
図３において、印刷設定画面３００はステイプル印刷「する」、「しない」の設定を表示することが可能である。システム制御部２０８は、操作部表示装置２０３から受け付けたユーザの指示に従って、「する」、「しない」を選択する。本表示では「する」がユーザの設定により選択され、その印刷設定情報がＨＤ２１１等の不揮発性メモリに記憶され、電源投入時にシステムメモリ２０６の所定領域にロードされて保持する。これにより、システム制御部２０８は、ステイプル印刷「する」、「しない」を判断することが可能に構成されている。
【００１５】
図４は、図２に示したＨＤ２１１に保持される通信履歴テーブル４００の一例を示す図である。ここで、通信履歴テーブル４００は、通信履歴情報の一例であり、保持する項目は本例に限定されるものではない。
図４において、開始時刻４０１は、ファクシミリ送信またはファクシミリ受信を開始した時刻を格納する。相手先アドレス４０２は、通信相手装置の電話番号等の相手先のアドレス情報を格納する。
受付番号４０３は、画像処理装置１０５にて１通信ごとに任意に割り当てられる番号である。割当てられる番号は、送信に関しては０００１より通信履歴ごとに増加する。また、割当てられる番号は、受信に関しては５００２より通信履歴ごとに増加する。
通信モード４０４は、送信、または受信といった通信モードを格納する。枚数４０５は、画像処理装置が送受信したページ数を格納する。通信結果４０６は、通信エラー時のエラーコードを格納する。通信結果４０６は、ＯＫ、ＮＧといった通信結果を示すエラーコードを格納する。
【００１６】
図５は、図２に示したＨＤ２１１に保持される宛先情報テーブル５００の一例を示す図である。ここで、宛先情報テーブル５００は、通信履歴情報の一例であり、保持する項目は本例に限定されるものではない。また、本例は、着呼時に送信側から通知された電話番号と、通信エラーとを関連付けて通信履歴を保持する例である。
図５において、名称５０１は、相手の名称情報を格納する。宛先情報５０２は、相手電話番号（ＴＥＬ）又は相手機のアドレス情報を格納する。本例では、電話番号のみが保持される例を示す。
Ｆコード５０３およびＰＷＤ５０４は、最大２０桁のＦコード情報、パスワード情報を格納する。ＥＣＭ５０５は、エラーリカバリを行うＥＣＭ通信時にはＯＮ、エラーリカバリを行わないＮＯＮ−ＥＣＭ通信時にはＯＦＦを格納する。
ＴＸ速度５０６は、通信開始時の送信スタートスピードを格納する。３３６００ｂｐｓ時はＶ３４手順にて、１４４００ｂｐｓ時はＶ１７手順にてファクシミリ通信を行う。
ＤＩＳ結果５０７は、受信側の画像処理装置がＤＩＳ宣言において、紙サイズＡ４を宣言し、送信側の画像処理装置との通信が正常終了した場合にはＯＫ、エラー終了した場合にはＮＧを格納する。ここで、ＤＩＳ結果５０７は、次回同一の着呼先からの通信において用いられ、ファクシミリ制御部２１０が特定された電話番号のＤＩＳ結果５０７がＯＫかＮＧかにより、送信側の画像処理装置に通知するシートのサイズを特定する。具体的には、ファクシミリ制御部２１０は、公衆回線網を介して着呼があった場合、すなわち、次回受信時、上記ＤＩＳ結果を判別する処理を後述する図９に示す手順で判別する。この判別処理がＯＫであるとファクシミリ制御部２１０が判別した場合、前回同様にＤＩＳ宣言時に紙サイズ宣言として、Ａ４を宣言し、ＮＧであれば受信機の能力に従って、例えばＡ４、Ｂ４、Ａ３を宣言する。そして、ファクシミリ制御部２１０は、宣言されたシートのサイズを相手先に通知する。
なお、この判別処理でファクシミリ制御部２１０がＯＫであると判別できた場合は、受信側の画像処理装置の後処理機能を有効に活用した印刷結果を得ることができることを意味する。
【００１７】
図６は、図１に示した画像処理装置１０５のファクシミリ通信プロトコルを示す図である。本例は、通常の通信例である。
本例では、ファクシミリ通信時、受信側のファクシミリでは着信時に公衆回線網より通知されるナンバーディスプレイ情報より送信機の電話番号情報を取得する。次に、ファクシミリ制御部２１０は、着信に対する応答としてＣＥＤ信号を送出する。
次に、ファクシミリ制御部２１０は受信側の能力情報として、ＤＩＳ、ＣＳＩ、ＮＳＦ信号を送出する。上記ＤＩＳ、ＣＳＩ、ＮＳＦ信号を受信した送信機側の画像処理装置では送信指示情報としてＤＣＳ、ＴＳＩ、ＮＳＳ信号を受信側の画像処理装置に送出する。そして、画像データのテストデータとしてのトレーニング信号ＴＣＦを送出する。
受信側の画像処理装置では、上記ＴＣＦ信号を受信後、通信継続する場合にはＣＦＲ信号を送出する。上記ＣＦＲ信号を受信した送信機側画像処理装置では画像データＰＩＸおよび画像データの終端を示すＰＰＳ−Ｑ信号を送出する。
受信機側画像処理装置では上記ＰＩＸおよびＰＰＳ−Ｑ信号を正常に受信できた場合、ＭＣＦ信号を送出する。そして最後に送信機側画像処理装置では上記ＭＣＦ信号を受信後、通信の終了を示すＤＣＮ信号を送出し、一連のファクシミリ通信を終了する。
【００１８】
図７は、図１に示した画像処理装置１０５のエラー時のファクシミリ通信プロトコルを示す図である。
本例では、ファクシミリ通信時、受信側の画像処理装置では着信時に公衆回線網より通知されるナンバーディスプレイ情報より送信機の電話番号情報を取得する。次に、ファクシミリ制御部２１０は、着信に対する応答としてＣＥＤ信号を送出する。
次に、ファクシミリ制御部２１０は、受信側の画像処理装置の能力情報として、ＤＩＳ、ＣＳＩ、ＮＳＦ信号を送出する。上記ＤＩＳ、ＣＳＩ、ＮＳＦ信号を受信した送信側の画像処理装置では受信側の画像処理装置の能力情報が送信指示と一致しない場合がある。
この場合、例えばＤＩＳ信号にて受信側の画像処理装置のシートのサイズとしてＡ４が能力情報として宣言で通知される場合がある。この場合において、送信側の画像処理装置がＡ３原稿を縮小せずに送りたい場合は、送信側の画像処理装置は、受信側の画像処理装置の能力情報が送信指示を満たしていないために、ＤＣＮ信号を送出してエラー終了する。
【００１９】
以下、本実施形態に係る画像処理装置１０５において、受信機側各種設定により、ファクシミリプロトコルのＤＩＳコマンドにてシートのサイズを通知する動作について説明する。
図８は、本実施形態を示す画像処理装置１０５の制御方法を説明するフローチャートである。本例は、画像処理装置１０５に保持されたファクシミリ設定中のうち、ステイプルモードがステイプルを実行「する」に設定されているかどうかを判断して、送信側の画像処理装置に紙サイズを通知する処理例である。なお、各ステップは、ＨＤ２１１や図示しないＲＯＭに記憶される制御プログラムをファクシミリ制御部２１０が実行することで実現される。
【００２０】
まず、ファクシミリ着信時、まず、Ｓ８０１において、ファクシミリ制御部２１０はシステムメモリ２０６内に格納されている、ステイプルをするか、しないかを示す情報を取得する。
この情報は図３に示すようにユーザモードにてユーザ指定にて変更することが可能である。ここで、上記印刷設定画面３００の情報が「する」の時にはＳ８０２に移行し、「しない」の時にはＳ８０３に移行する。
次に、Ｓ８０２において、ファクシミリ制御部２１０は着信に対する応答として自機能力を宣言するためのＤＩＳコマンドを送出する際に、印刷設定画面３００の設定が「する」指定であるため、紙サイズＡ４の宣言を相手先に通知する。つまり、受信側の画像処理装置１０５は、給紙部にセットされた使用可能な用紙サイズとしてＡ４、Ｂ４、Ａ３を認識しているが、受信側（自装置）の能力情報として宣言するのはＡ４に絞る。
【００２１】
このように受信側の画像処理装置１０５が紙サイズＡ４の宣言を送信側の画像処理装置に通知することにより、Ｂ４等の異系列の紙やＡ３のように同系列であるが紙サイズか異なるデータはすべてＡ４に揃えて送信側の画像処理装置より送られてくるようになる。
したがって、受信側の画像処理装置１０５では受信した画像データをＡ４サイズのシートにプリンタ装置２０２が印刷を実行した後、後処理装置がＡ４サイズに揃ったシートにステイプルをすることが可能となる。
一方、Ｓ８０３において、印刷設定画面３００の情報よりステイプル印刷を行わないとファクシミリ制御部２１０が判断した場合は、ＤＩＳコマンドを送出する際に、シートの能力情報として画像処理装置１０５で使用可能な紙サイズを宣言する。
ここでは、通常のファクシミリでは受信側で縮小記録や、Ａ３印刷可能であるために紙サイズ宣言としてＡ４、Ｂ４、Ａ３の能力宣言を行うのが一般的である。
これにより、紙サイズとしてＡ４、Ｂ４、Ａ３の宣言を行うため、送信機側ではそれらの紙サイズにて文書を送信することができる。
本実施形態によれば、ファクシミリ受信した画像データをステイプル印刷する時、ファクシミリプロトコルのＤＩＳコマンド内の紙サイズ宣言をＡ４のみにて宣言する。これにより送信側の画像処理装置より紙サイズＡ４に揃えられた画像データが送られてくるため、シートのサイズ不一致によるステイプルができなくなる事態を回避することができる。さらに、紙サイズをＡ４に揃えて印刷することが可能となり、仕上がりもきれいになる。
また、送信機側にてＡ４に揃えて送ることにより、画像データの通信時間、通信料金も低くおさえることが可能となる。
【００２２】
〔第２実施形態〕
以下、画像処理装置１０５において、ファクシミリ着信時、通信回線網より通知される送信側の画像処理装置のダイヤル情報であると受信側の画像処理装置の各種設定や、通信エラーの履歴に従って、ＤＩＳコマンドにて紙サイズを宣言する処理を説明する。なお、送信側ダイヤル情報とは、ナンバーディスプレイ情報である例を説明する。
本例は、着呼時に通知される電話番号と通信履歴として保持される前回の通信エラー情報とを照合して、相手機先に通知するシートのサイズを切り替え制御する例である。つまり、前回同一着呼先との通信で通信エラーが発生していないとファクシミリ制御部２１０が判断した場合は、後処理が可能であるので、Ａ４をシートのサイズとして宣言して通知する。
一方、前回同一着呼先との通信で通信エラーが発生しているとファクシミリ制御部２１０が判断した場合は、Ａ４、Ａ３、Ｂ４をシートのサイズとして宣言して通知する。したがって、この場合は、シートに後処理は実行されない。
【００２３】
図９は、本実施形態を示す画像処理装置の制御方法を説明するフローチャートである。なお、各ステップは、ＨＤ２１１や図示しないＲＯＭに記憶される制御プログラムをファクシミリ制御部２１０が実行することで実現される。
ファクシミリ着信時、ファクシミリ制御部２１０はＳ９０１において、公衆通信網より通知されるナンバーディスプレイ情報より、送信機側のダイヤル情報を取得する。次に、Ｓ９０２において、システムメモリ２０６内に格納されている、ステイプルをするか、しないかを示す情報を取得する。
本情報は図３に示すようにユーザモードにてユーザ指定にて変更することが可能である。ここで、上記印刷設定画面３００の情報が「する」であるとファクシミリ制御部２１０が判断した時にはＳ９０３に移行し、「しない」とファクシミリ制御部２１０が判断した時にはＳ９０６に移行する。
【００２４】
次に、Ｓ９０３において、上記Ｓ９０１にて送信側の画像処理装置のダイヤル情報があるかどうかをファクシミリ制御部２１０が判断する。ここで、ダイヤル情報があるとファクシミリ制御部２１０が判断した場合にはＳ９０４に移行し、ダイヤル番号がないとファクシミリ制御部２１０が判断した場合にはＳ９０６に移行する。
次に、Ｓ９０４で、ファクシミリ制御部２１０はシステムメモリ２０６内に格納されている履歴情報テーブル４００と上記ナンバーディスプレイ情報より取得した送信側の画像処理装置のダイヤル情報を比較する。さらに、ファクシミリ制御部２１０は、ナンバーディスプレイ情報に合致するファクシミリ履歴情報があり、かつ通信結果４０６がエラー終了しているか否かを判断する。
【００２５】
ここで、ナンバーディスプレイ情報に合致するファクシミリ履歴情報があり、かつ通信結果４０６がエラー終了していないとファクシミリ制御部２１０が判断した時には、Ｓ９０５へ移行する。一方、エラー終了しているとファクシミリ制御部２１０が判断した時にはＳ９０６へ移行する。
【００２６】
なお、Ｓ９０４において、判定される上記通信結果４０６に保持されるエラーとは、全てのエラーではなく、図６に示すファクシミリプロトコルのＤＩＳコマンドを送出する際に、相手機送信側より切断信号であるＤＣＮを受信した時にエラーを意味する。
したがって、Ｓ９０４で、図６に示すファクシミリプロトコルのＤＩＳコマンドを送出する際に、送信側の画像処理装置より切断信号であるＤＣＮを受信した時にエラーと判断していた場合に、Ｓ９０６へ移行する。
また、ファクシミリ制御部２１０は、上記Ｓ９０４に代えて、履歴情報テーブル４００のファクシミリ履歴情報の代わりに履歴情報テーブル５００で管理される宛先情報と上記ナンバーディスプレイ情報より取得した送信側の画像処理装置のダイヤル情報を比較する。
そして、ファクシミリ制御部２１０がナンバーディスプレイ情報と合致する宛先情報があり、かつＤＩＳ結果５０７がＮＧであるかどうかを判断し、その判断結果に従い、Ｓ９０６へ移行し、上記以外はＳ９０５へ移行する処理であってもよい。
【００２７】
次に、Ｓ９０５において、ファクシミリ制御部２１０は、着信に対する応答として受信側の画像処理装置の能力情報を宣言するためのＤＩＳコマンド送出時、紙サイズ宣言としてＡ４のみを宣言して、その旨を送信側の画像処理装置に通知して、本処理を終了する。
このように上記紙サイズＡ４宣言を行うことにより、Ｂ４等の異系列の紙やＡ３のように同系列であるが紙サイズか異なるデータはすべてＡ４に揃えて送信側の画像処理装置より送られてくるようになりステイプル印刷が可能となる。
また、Ｓ９０６では、ＤＩＳコマンド送出時、受信側の画像処理装置の能力情報に従った紙サイズを宣言して、その旨を送信機側に通知して、本処理を終了する。
ここでは、通常のファクシミリでは受信側の画像処理装置で縮小記録や、Ａ３印刷可能であるために紙サイズ宣言としてＡ４、Ｂ４、Ａ３の能力宣言を行うのが一般である。上記紙サイズ宣言を行うことにより、送信側の画像処理装置ではすべての紙サイズにて送信することができる。
上記実施形態によれば、シートのサイズ不一致によるエラー終了時、通信エラーが通信履歴として保持されるため、次回の同一宛先からの通信時のエラーリカバリ機能をもつことが可能となる。この場合、異なるシートのサイズ情報が宣言されるので、画像縮小能力をもたない送信側の画像処理装置からも受信も行うことができる。
【００２８】
〔第３実施形態〕
次に、着呼時に、転送モードの設定状態を判別して、転送先の画像処理装置の印刷設定を取得し、ステイプル設定がステイプルするに設定されている場合、転送先に代えて、シートのサイズとしてＡ４を通知する例を説明する。
つまり、ファクシミリ制御部２１０が転送先の画像処理装置がステイプルするに印刷設定されているか否かを判別して、ファクシミリプロトコルのＤＩＳコマンドにて紙サイズを異ならせて宣言する実施形態である。
【００２９】
図１０は、本実施形態を示す画像処理装置の制御方法を説明するフローチャートである。なお、各ステップは、ＨＤ２１１や図示しないＲＯＭに記憶される制御プログラムをファクシミリ制御部２１０が実行することで実現される。
ファクシミリ着信時、ファクシミリ制御部２１０は、まずＳ１００１において、ファクシミリ制御部２１０が自機ユーザモードの転送設定の情報を取得し、転送モードの設定が転送するに設定されているか否かを判断する。ここで、転送モードが転送するに設定されているとファクシミリ制御部２１０が判断した場合にはＳ１００２へ移行し、それ以外であると判断した場合は、Ｓ１００５へ移行する。
【００３０】
次に、Ｓ１００２において、ファクシミリ制御部２１０は、転送先のファクシミリ装置の印刷設定の情報を取得する。上記印刷設定情報の取得処理に関して、転送設定時に転送側の印刷設定情報をシステムメモリ２０６内ＲＡＭ部に一次的に格納した情報を取得してもよい。または転送側がネットワーク１００を介したプリンタ１０３や、ファクシミリ１０４である場合、ネットワークを介して転送先の印刷設定情報を通信により直接取得してもよい。
次に、Ｓ１００３において、転送側の印刷設定がステイプル印刷であるかいなかをファクシミリ制御部２１０が判断する。ここで、転送側の印刷設定がステイプル印刷であるとファクシミリ制御部２１０が判断した場合にはＳ１００４に移行する。また、転送側の印刷設定がステイプル印刷でないとファクシミリ制御部２１０が判断した場合にはＳ１００５へ移行する。
【００３１】
次に、Ｓ１００４において、ファクシミリ制御部２１０はＤＩＳコマンド送出時、紙サイズ宣言としてＡ４のみを宣言して、そのサイズを送信側の画像処理装置に通知して、本処理を終了する。
このように上記紙サイズＡ４宣言を行うことにより、Ｂ４等の異系列の紙やＡ３のように同系列であるが紙サイズか異なるデータはすべてＡ４に揃えて送信側の画像処理装置より送られてくるようになる。このため、画像処理装置１０５が他の画像処理装置に画像データを転送する時、紙サイズがＡ４に揃った画像データを送信することが可能となる。
また、Ｓ１００５において、ＤＩＳコマンド送出時、画像処理装置のシートの能力情報に従ったサイズを宣言する。そして、ファクシミリ制御部２１０は、宣言されたサイズを送信側の画像処理装置に能力情報として通知して、本処理を終了する。
通常のファクシミリでは受信側で縮小記録や、Ａ３印刷可能であるために紙サイズ宣言としてＡ４、Ｂ４、Ａ３の能力宣言を行うのが一般である。
このように上記紙サイズ宣言を行うことにより、送信側の画像処理装置にて紙サイズ不一致にて切断されることなく送信することが可能となる。また、受信側の画像処理装置にて受信した画像データを転送先の紙サイズ能力に合わせて画像サイズを変更し、転送送信することができる。
【００３２】
上記実施形態によれば、転送設定時に転送先の印刷設定に併せて予め受信時にＡ４にそろえて受信することにより、転送モード実行時における通信時間、通信料金も低くおさえることが可能となる。  また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００３３】
本発明は上記実施形態に限定されるものではなく、本発明の趣旨に基づき種々の変形（各実施形態の有機的な組合せを含む）が可能であり、それらを本発明の範囲から除外するものではない。
本発明の様々な例と実施形態を示して説明したが、当業者であれば、本発明の趣旨と範囲は、本明細書内の特定の説明に限定されるのではない。
【符号の説明】
【００３４】
１０５  画像処理装置
２１０  ファクシミリ制御部  
【図１】
0005541688.tif 000002
【図２】
0005541688.tif 000003
【図３】
0005541688.tif 000004
【図４】
0005541688.tif 000005
【図５】
0005541688.tif 000006
【図６】
0005541688.tif 000007
【図７】
0005541688.tif 000008
【図８】
0005541688.tif 000009
【図９】
0005541688.tif 000010
【図１０】
0005541688.tif 000011